(57)【要約】【課題】自毛と人工毛との混在整髪が容易で且つ分け目やつむじの偽装も容易なおしゃれ用又は増毛用の毛髪装具を提供する。【解決手段】毛髪装具の基礎部１０は前頭用擬似皮膚１１、前頭用擬似皮膚１１の前部縁に沿って設けられたリボン状の網目地１２、前頭用擬似皮膚１１の後部縁に沿って設けられた前部保持部材１３、後頭部に当接するシート部材１４、シート部材１４の後部縁に沿って設けられたリボン状の網目地１５、シート部材１４の前部縁に沿って設けれた後部保持部材１６、前部保持部材１３及び後部保持部材１６とに両端を保持され所定間隔で並設された５本の弾性線状部材１７、これらと並設された分け目用擬似皮膚１８、前部保持部材１３の両側端部と後部保持部材１６の両側端部間にそれぞれ掛け渡され更に後部保持部材１６の両側端部からこの後部保持部材１６の外端部を取り巻くように設けられた固定部材１９、及びこれらの部材に植設された人工毛とで構成される。【選択図】　　　図２
2004019026.tif 000002
【特許請求の範囲】
【請求項１】
増毛用として薄くなった自毛に自毛と同色の人工毛を混在させて用いるための毛髪装具であって、
前頭部の皮膚に密着する前頭用擬似皮膚を備えた前部保持部材と、
後頭部に当接する後部保持部材と、
前記前部保持部材及び前記後部保持部材とに両端を保持され所定間隔で並設された複数の弾性線状部材と、
前記前部保持部材及び前記後部保持部材とに両端を保持され複数の前記弾性線状部材と並設された分け目用擬似皮膚と、
少なくとも前記前頭用擬似皮膚、前記弾性線状部材、及び前記分け目用擬似皮膚とに植設された人工毛と、
を有することを特徴とする毛髪装具。
【請求項２】
前記分け目用擬似皮膚及び複数の前記弾性線状部材に並行し、前記前部保持部材の両側端部と前記後部保持部材の両側端部間にそれぞれ掛け渡されたリボン状の網目地からなる固定部材を更に有することを特徴とする請求項１記載の毛髪装具。
【請求項３】
前記固定部材は、前記後部保持部材の両側端部から該後部保持部材の外端部を取り巻くように更に延設されることを特徴とする請求項２記載の毛髪装具。
【請求項４】
前部保持部材と、
後部保持部材と、
前記前部保持部材及び前記後部保持部材とに両端を保持され所定間隔で並設された複数の弾性線状部材と、
前記前部保持部材及び前記後部保持部材とに両端を保持され複数の前記弾性線状部材と並設された分け目用擬似皮膚と、
少なくとも前記弾性線状部材及び前記分け目用擬似皮膚とに植設された、おしゃれ用として自毛と混在させて用いるための自毛とは変わる色の人工毛、又は増毛用として薄くなった自毛に混在させて用いるための自毛と同色の人工毛と、
を備えたことを特徴とする毛髪装具。
【請求項５】
前部保持部材と、
後部保持部材と、
前記前部保持部材及び前記後部保持部材とに両端を保持され所定間隔で並設された複数の弾性線状部材と、
前記前部保持部材に一端を保持された複数の弾性線状部材と、
前記前部保持部材に一端を保持された複数の弾性線状部材の他端と前記後部保持部材との間に配置されたつむじ用擬似皮膚と、
少なくとも前記弾性線状部材及び前記つむじ用擬似皮膚とに植設された、おしゃれ用として自毛と混在させて用いるための自毛とは変わる色の人工毛、又は増毛用として薄くなった自毛に混在させて用いるための自毛と同色の人工毛と、
を備えたことを特徴とする毛髪装具。
【発明の詳細な説明】
【０００１】
【発明の属する技術分野】
本発明は、自毛と人工毛との混在整髪が容易で且つ分け目やつむじの偽装も容易なおしゃれ用又は増毛用の毛髪装具に関する。
【０００２】
【従来の技術】
従来より、人工毛（人造または自然の毛髪を加工したもの）を人の頭部に装着して、薄くなった自毛（本人の頭部に成育している自然の頭髪）と渾然一体化させ、見た目に自毛が増えたかの如くに形成する増毛装具がある。
【０００３】
また、人の頭部を華やかに飾るものに、リボン、バレッタ、ビーズ等があるが、近年、自然には無い色に自毛を染めたり、あるいはそのような色の人工毛を自毛に混在させて頭部のおしゃれを演出するための、部分かつら、付け毛等のおしゃれ装具がある。
【０００４】
一般に、増毛を主たる目的として用いられている増毛装具（増毛用かつら）は植毛用部材の網目は例えば１ｍｍ四方というように極めて細かいが、植設される人工毛が少なくても支障のない比較的自毛の多い人や、おしゃれ用の増毛を主眼とする人などでは、３ｃｍ四方もあるような大きな網目の形成された柔軟な植毛部材に人工毛を植設したものを用いる。これを頭部に着用し自毛に適宜の方法で固着させ、上から人工毛を掻き分け、網目の下に押え込まれて横に寝ている自毛を櫛またはブラシで網目から外へ掻き出して、周囲の人工毛と一体にして整髪する。
【０００５】
ところが、実際に着用して自毛を外に引き出そうとすると、網目を相当に大きく形成してあるにも拘らず櫛の歯やブラシの毛先が網目に引っ掛かり、思うように自毛を引き出すことができず、整髪に手間取るという問題があった。
【０００６】
図７は、上記の問題を解決するものとして提案されているおしゃれ増毛装具の裏面図である。同図に示すおしゃれ増毛装具１は保持部材２とこの保持部材２の裏面に取り付けられた止め具３と、保持部材２に一端を保持された複数の弾性線状部材４とこの弾性線状部材４に植設された人工毛５とで構成されている。
【０００７】
このおしゃれ増毛装具１を頭部に装着するときは、止め具３により毛流れの上流側で自毛に止め、毛流れの下流側に弾性線状部材４の延在方向を一致させる。そして、上から櫛又はブラシで毛流れに沿って、つまり弾性線状部材４の延在方向に沿って、一旦逆方向に梳き上げると自毛が容易に引き出される。それから、毛流れに沿って順方向に解かすと、引き出された自毛と人工毛５が自然に混在するというものであった。
【０００８】
【発明が解決しようとする課題】
ところが、現実にこれらのおしゃれ増毛装具が発売されてみると、おしゃれ用だけではなく、薄くなった自毛の増毛に使用したいという要望が多々寄せられた。しかし、上記のおしゃれ増毛装具は、おしゃれ用を主眼としたものであるだけに、頭部への取り付け位置に制約が殆ど無いという利点があるものの、薄くなった自毛の増毛用として頭部全体を覆うようには構成されていなかった。
【０００９】
また、頭部全体を覆うようにするには、当然ながら分け目も考慮しなければならないし、また、頭部への固定方法も単純な２・３箇程度の止め具では頭部全体を覆う大きな装具を固定することはできない。
【００１０】
本発明の課題は、上記従来の実情に鑑み、自毛と人工毛との混在整髪が容易で頭部全体を覆って強固に固定でき且つ分け目やつむじの偽装も容易なおしゃれ用又は増毛用の毛髪装具を提供することである。
【００１１】
【課題を解決するための手段】
以下に、本発明に係わる毛髪装具の構成を述べる。
先ず、請求項１記載の発明の毛髪装具は、増毛用として薄くなった自毛に自毛と同色の人工毛を混在させて用いるための毛髪装具であって、前頭部の皮膚に密着する前頭用擬似皮膚を備えた前部保持部材と、後頭部に当接する後部保持部材と、上記前部保持部材及び上記後部保持部材とに両端を保持され所定間隔で並設された複数の弾性線状部材と、上記前部保持部材及び上記後部保持部材とに両端を保持され複数の上記弾性線状部材と並設された分け目用擬似皮膚と、少なくとも上記前頭用擬似皮膚、上記弾性線状部材、及び上記分け目用擬似皮膚とに植設された人工毛と、を有して構成される。
【００１２】
この毛髪装具は、例えば請求項２記載のように、上記分け目用擬似皮膚及び複数の上記弾性線状部材に並行し、上記前部保持部材の両側端部と上記後部保持部材の両側端部間にそれぞれ掛け渡されたリボン状の網目地からなる固定部材を更に有して構成される。この場合、上記固定部材は、例えば請求項３記載のように、上記後部保持部材の両側端部から該後部保持部材の外端部を取り巻くように更に延設されるように構成しても良い。
【００１３】
次に、請求項４記載の発明の毛髪装具は、前部保持部材と、後部保持部材と、上記前部保持部材及び上記後部保持部材とに両端を保持され所定間隔で並設された複数の弾性線状部材と、上記前部保持部材及び上記後部保持部材とに両端を保持され複数の上記弾性線状部材と並設された分け目用擬似皮膚と、少なくとも上記弾性線状部材及び上記分け目用擬似皮膚とに植設された、おしゃれ用として自毛と混在させて用いるための自毛とは変わる色の人工毛、又は増毛用として薄くなった自毛に混在させて用いるための自毛と同色の人工毛と、を備えて構成される。
【００１４】
更に、請求項５記載の発明の毛髪装具は、前部保持部材と、後部保持部材と、上記前部保持部材及び上記後部保持部材とに両端を保持され所定間隔で並設された複数の弾性線状部材と、上記前部保持部材に一端を保持された複数の弾性線状部材と、上記前部保持部材に一端を保持された複数の弾性線状部材の他端と上記後部保持部材との間に配置されたつむじ用擬似皮膚と、少なくとも上記弾性線状部材及び上記つむじ用擬似皮膚とに植設された、おしゃれ用として自毛と混在させて用いるための自毛とは変わる色の人工毛、又は増毛用として薄くなった自毛に混在させて用いるための自毛と同色の人工毛と、を備えて構成される。
【００１５】
【発明の実施の形態】
以下、本発明の実施の形態を図面を参照しながら説明する。
図１は、第１の実施の形態における毛髪装具の基礎部の構成を示す平面図である。同図に示すように、毛髪装具の基礎部１０は、先ず、人の皮膚に良く似た感じの樹脂製シートからなる人の前頭用擬似皮膚１１と、この前頭用擬似皮膚１１の前部縁に沿って設けられた比較的細いリボン状の網目地１２と、前頭用擬似皮膚１１の後部縁に沿って設けられた前部保持部材１３と、を備えている。
【００１６】
更に、この毛髪装具の基礎部１０は、人の後頭部に当接するように形成された上記同様に人の皮膚に良く似た感じのシート部材１４と、このシート部材１４の後部縁に沿って設けられた比較的細いリボン状の網目地１５と、シート部材１４の前部縁に沿って設けられた後部保持部材１６と、を備えている。
【００１７】
また、この毛髪装具の基礎部１０は、前部保持部材１３及び後部保持部材１６とに両端を保持され所定間隔で並設された複数（同図の例では５本）の弾性線状部材１７と、同じく前部保持部材１３及び後部保持部材１６とに両端を保持され、上記複数の弾性線状部材１７と並設された分け目用擬似皮膚１８と、を備えている。
【００１８】
そして、この毛髪装具の基礎部１０は、上記分け目用擬似皮膚１８や、複数の弾性線状部材１７にほぼ並行する形で、前部保持部材１３の両側端部と後部保持部材１６の両側端部間にそれぞれ掛け渡された比較的幅広のリボン状の網目地からなる固定部材１９を備えている。この固定部材１９には、この毛髪装具が人の頭部に装着されたとき、自毛が結び付けられて、全体が頭部に固定される。
【００１９】
尚、上記の基礎部１０は、図では扁平に見えるが実際には人の凸状の頭部の形に合わせて湾曲して形成されている。この毛髪装具の基礎部１０には、少なくとも前頭用擬似皮膚１１、弾性線状部材１７及び分け目用擬似皮膚１８とに、人工毛が植設される。
【００２０】
図２は、上記の基礎部１０に、所定量の人工毛を植設して完成した毛髪装具の外観斜視図である。完成した毛髪装具２０は、人工毛２１を上述のように少なくとも弾性線状部材１７だけでなく前頭用擬似皮膚１１と分け目用擬似皮膚１８にも植設されるので、同図に示すように、分け目用擬似皮膚１８からなる分け目は、外見からだけでは擬似皮膚とは分からない、天然のものと変わらなく見えるものである。
【００２１】
これを頭部に着用し、固定部材１９に自毛が結び付けて固定した後、ブラシで毛流れ方向に梳かすと、図１に示したように互いに並行して配設されている弾性線状部材１７や分け目用擬似皮膚１８との間から、下方の自毛が引き出されて、人工毛２１と混在して、自然な髪型に出来上がる。
【００２２】
図３は、第２の実施の形態における毛髪装具の基礎部の構成を示す平面図である。尚、同図には図１と同一の構成部分には図１と同一の番号を付与して示している。図３に示す毛髪装具の基礎部１０′は、固定部材１９′の構成が図１の固定部材１９の場合とやや異なる。図３に示すように、この基礎部１０′の固定部材１９′は、後部保持部材１６の両側端部からこの後部保持部材１６の外端部を取り巻くように更に延設されて構成される。
【００２３】
これにより、毛髪装具が大型化した場合でも、頭部の両脇のみならず後頭部まで安定して強固に取り付けることができる。
尚、基礎部１０又は１０′に取り付ける弾性線状部材１７の配置は、図１又は図３に示すように、頭の前後に流れる方向に、つまり、頭の前後の軸に並行に配置するのが良い。
【００２４】
図４（ａ），（ｂ），（ｃ）　は、弾性線状部材が頭の前後の軸に並行に配置されていない好ましくない例を示す図であり、同図（ｄ）　は、弾性線状部材が頭の前後の軸に並行に配置されているが構成として好ましくない例を示す図である。尚、同図（ｂ），（ｃ），（ｄ）には、分け目用擬似皮膚１８に代わって、つむじ用擬似皮膚２２を配設したものを示している
同図（ａ），（ｂ），（ｃ）　に示す構成は、下方の自毛を引き出すのに困難を伴う難点があるだけでなく、破線の丸印で囲んで示す部分が強度が弱くて弾性線状部材１７を長期に保持しきれないという欠点がある。また、同図（ｄ）は、弾性線状部材が頭の前後の軸に並行に配置されているものの、つむじが頭頂部にある人用のために、つむじ用擬似皮膚２２が基礎部の中央に設けられたもので、この場合もつむじ用擬似皮膚２２と弾性線状部材１７を連結する破線の丸印で囲んで示す部分の強度が弱く、長期の使用に耐えない。
【００２５】
図５は、第３の実施の形態における毛髪装具の基礎部の構成を示す平面図である。上述した図１ないし図３に示した第１及び第２の実施形態においては、基礎部１０又は１０′の形状は人の頭全体の形に合わせて形成されていたが、本例における図５に示す毛髪装具の基礎部２５は、頭の一部に部分的に使用する目的で小型に作られている（この形状も図では扁平に見えるが実際には人の凸状の頭部の形に合わせて湾曲して形成されている）。
【００２６】
小型で、頭の一部に部分的に使用するものであるため、形状は複雑でなく簡単な形状になっており、図１及び図３の構成から固定部材１９又は１９′を取り除いたような構成になっているが、基本構成は、図１及び図３の場合と同様である。
【００２７】
すなわち、この基礎部２５は、前頭用擬似皮膚２６と、この前頭用擬似皮膚２６と一体に構成され頭部後方に延設された端部が後部保持部材２７に保持された分け目用擬似皮膚２８と、前頭用擬似皮膚２６の後部縁に沿って形成された前部保持部材２９と、この前部保持部材２９と後部保持部材２７とに両端を保持されて上記分け目用擬似皮膚２８に並行に並設された複数の弾性線状部材３１と、そして、後部保持部材２７に連設されたシート部材３２とから成る。
【００２８】
この場合も、この毛髪装具の基礎部２５には、少なくとも前頭用擬似皮膚２６と、弾性線状部材３１と、分け目用擬似皮膚２８とに、人工毛が植設されて、小さいながら図２に示したような外観を有する毛髪装具に仕上げられる。
【００２９】
図６（ａ），（ｂ）　は上記第３の実施形態における毛髪装具の基礎部２５の好ましい変形例を示す図であり、同図（ｃ），（ｄ）　は好ましくない変形例を示す図である。
同図（ａ）　は分け目用擬似皮膚２８′をやや短めに形成し、その後端部とシート部材３２（後部保持部材の図示は省略されている）との間に、１本の短い弾性線状部材３１を配設したものである。また、同図（ｂ）は、後端部とシート部材３２に、やや大きめのつむじ用擬似皮膚２２を連設し、その前端部と前頭用擬似皮膚２６（前部保持部材の図示は省略されている）との間に、２本の弾性線状部材３１をやや斜めに配設したものである。いずれも、ブラシ使いの流れに逆らうことのない構造であり、弾性線状部材３１の連結部の強度は十分で長期の使用に耐えるものである。
【００３０】
これらに対して、同図（ｃ）　は、前後にわたって長く形成された分け目用擬似皮膚２８″の側端に急な角度で３本の弾性線状部材３１が取り付けられている。また、同図（ｄ）は、中央に浮島のようにつむじ用擬似皮膚２２が配置され、このつむじ用擬似皮膚２２の前端部と前頭用擬似皮膚２６との間、及びつむじ用擬似皮膚２２の後端部とシート部材３２との間に、それぞれ２本の短い弾性線状部材３１が取り付けられている。同図（ｃ），（ｄ）の構成は、いずれもブラシ使いの流れに対して抵抗力が強く、結果的に図の破線の丸印で囲んで示す部分の強度が弱くなり、好ましい構造とはいえないものである。
【００３１】
【発明の効果】
以上説明したように、本発明によれば、人工毛を植設された複数の弾性線状部材を分け目用擬似皮膚と共に並行に配置するので、装着後にブラシで梳かすだけで簡単に自毛を引き出して人工毛と混在させることがきる上に、薄くなった分け目にも増毛させることができるので、増毛用の快適な毛髪装具を提供することが可能となる。
【００３２】
また、毛髪装具の両脇又は前部を除く周囲に自毛を結びつける固定部材を設けるので、頭部全体を覆う大型の毛髪装具にした場合でも頭部に強固に固定されるので使い勝手が良くて便利である。
【００３３】
また、分け目用擬似皮膚、又はつむじ用の擬似皮膚を配置することにより、薄くなった分け目やつむじ部分の髪型を変えることなく増毛できるので、現状のスタイルを変えることなく手軽に増毛できて便利である。
【図面の簡単な説明】
【図１】第１の実施の形態における毛髪装具の基礎部の構成を示す平面図である。
【図２】第１の実施の形態における毛髪装具の基礎部に所定量の人工毛を植設して完成した毛髪装具の外観斜視図である。
【図３】第２の実施の形態における毛髪装具の基礎部の構成を示す平面図である。
【図４】（ａ），（ｂ），（ｃ），（ｄ）　は弾性線状部材の好ましくない配置の例を示す図である。
【図５】第３の実施の形態における毛髪装具の基礎部の構成を示す平面図である。
【図６】（ａ），（ｂ）　は第３の実施形態の好ましい変形例を示す図、（ｃ），（ｄ）は好ましくない変形例を示す図である。
【図７】従来のおしゃれ増毛装具の裏面図である。
【符号の説明】
１　　おしゃれ増毛装具
２　　保持部材
３　　止め具
４　　弾性線状部材
５　　人工毛
１０、１０′　毛髪装具の基礎部
１１　前頭用擬似皮膚
１２　網目地
１３　前部保持部材
１４　シート部材
１５　網目地
１６　後部保持部材
１７　弾性線状部材
１８　分け目用擬似皮膚
１９、１９′　固定部材
２０　毛髪装具
２１　人工毛
２２　つむじ用擬似皮膚
２５　毛髪装具の基礎部
２６　前頭用擬似皮膚
２７　後部保持部材
２８、２８′　分け目用擬似皮膚
２９　前部保持部材
３１　弾性線状部材
３２　シート部材
【図１】
2004019026.tif 000003
【図２】
2004019026.tif 000004
【図３】
2004019026.tif 000005
【図４】
2004019026.tif 000006
【図５】
2004019026.tif 000007
【図６】
2004019026.tif 000008
【図７】
2004019026.tif 000009